(57)【要約】【課題】  壁紙に汚れが付着した場合に、複雑な手続きを行うことなく壁紙を特定し、その壁紙の保証期間を容易に管理できるようにする。【解決手段】  管理情報を入力するための操作部２と、管理情報に対して保証期限情報を付加してデータベースを生成して記憶部３に記憶すると共に、管理情報及び保証期限情報により保証情報を生成する制御部４と、保証情報を出力する保証情報出力部５とを備え、操作部２により管理情報を構成する情報の何れか一つの情報又は複数の情報を入力することにより、保証の対象となる壁紙を特定して、その保証情報を出力するので、壁紙の保証期限を分かり易く提示することができ、販売元では、対象となる壁紙を特定し、その保証期限を容易に把握することができる。【選択図】        図１
2005338914.tif 000002
【特許請求の範囲】
【請求項１】
壁紙を購入した顧客を識別する顧客情報と、前記壁紙の施工現場の住所を示す施工現場情報と、前記壁紙の種類を識別する壁紙情報と、基準日情報とを含む管理情報を入力するための操作部と、
前記管理情報に対して、前記基準日情報によって生成された保証期限情報を付加してデータベースを生成すると共に、前記管理情報及び前記保証期限情報により保証情報を生成する制御部と、
前記データベースを記憶する記憶部と、
前記制御部により生成された保証情報を出力する保証情報出力部とを備え、
前記操作部により前記管理情報を構成する前記顧客情報、前記施工現場情報、前記壁紙情報、前記基準日情報の何れか一つの情報又は複数の情報が入力されたときに、前記制御部は、前記記憶部より前記データベースを読み出し、保証の対象となる壁紙を特定して、その保証情報を前記保証情報出力部に出力することを特徴とする壁紙保証管理システム。
【請求項２】
壁紙を購入した顧客を識別する顧客情報と、前記壁紙の施工現場の住所を示す施工現場情報と、前記壁紙の種類を識別する壁紙情報と、基準日情報とを含む管理情報を入力するための操作部と、
前記管理情報に対して、前記基準日情報によって生成された保証期限情報を付加してデータベースを生成すると共に、保証の対象となる壁紙が保証期間内のものであるか否かを示す保証適否情報を生成する制御部と、
前記データベースを記憶する記憶部と、
前記制御部により生成された保証適否情報を出力する保証情報出力部とを備え、
前記操作部により前記管理情報を構成する前記顧客情報、前記施工現場情報、前記壁紙情報、前記基準日情報の何れか一つの情報又は複数の情報が入力されたときに、前記制御部は、前記記憶部より前記データベースを読み出し、前記保証の対象となる壁紙を特定して、その保証期限情報を取得すると共に、本日の日付を示す日付情報を取得して前記保証期限情報と前記日付情報とを比較することで、前記本日の日付が前記保証期間内であるか否かを判断し、この結果に応じて前記保証適否情報を生成することを特徴とする壁紙保証管理システム。
【請求項３】
前記制御部は、前記管理情報に対して、前記壁紙を識別可能なＩＤを付加してデータベースを生成し、前記操作部により入力される前記ＩＤをキーとして、前記保証の対象となる壁紙を特定することを特徴とする請求項１又は請求項２に記載の壁紙保証管理システム。
【発明の詳細な説明】
【技術分野】
【０００１】
本発明は、壁紙の汚れに対して行われる無償交換や無償洗浄の実行を支援するための壁紙保証管理システムに関するものである。
【背景技術】
【０００２】
一般に、塩化ビニルは、加工がし易く経年劣化し難いという特徴を持つことから、壁紙の材料としても多く利用されてきた。塩化ビニル製の壁紙は、図７に示すように、裏打ち紙と呼ばれる紙製の基材１０１上に塩化ビニル樹脂層１０２を形成して構成されている。そして、この塩化ビニル樹脂層１０２の上に印刷等により絵柄層が設けられ、或いは、塩化ビニル樹脂層１０２を発泡させると共に、エンボス加工を施す等して凹凸模様が設けられている。
【０００３】
ところで、塩化ビニル製の壁紙は、表面が汚れ易く、しかもこれを除去することが困難であるといった問題があった。これは、塩化ビニル樹脂に大量の可塑剤が混合されていることや、発泡や凹凸模様を形成するために塩化ビニル製の壁紙の表面に微細な凹凸や空隙が生じること等が原因である。
【０００４】
通常、汚れた塩化ビニル製の壁紙は、新しい壁紙に貼り替えられる。このとき、壁面から剥がされた古い塩化ビニル製の壁紙は、廃棄処分となる。しかしながら、塩化ビニル製の壁紙を廃棄処分する場合、焼却処理を行うとダイオキシン及び大量の二酸化炭素を発生する。従って、不要となった塩化ビニル製の壁紙は、産業廃棄物としてゴミになるだけであった。
【０００５】
このような問題を解決する技術として、本出願人は、図８に示すように、紙製の基材１１１上に塩化ビニル樹脂層１１２が形成された塩化ビニル製壁紙の表面に、ポリエチレン製フィルム、ポリ塩化ビニリデン製フィルム及びアクリル樹脂製フィルムのうちの何れかのフィルム１１３をコーティングすることによって、長時間使用しても汚れ難く、且つ、仮に表面に汚れが付着した場合でも容易に汚れを除去することができるようにする技術を発案した（特許文献１参照）。
【特許文献１】登録実用新案第３０９６９８７号公報
【０００６】
この特許文献１に記載の塩化ビニル製壁紙を用いれば、販売元等が所定の期間（例えば１０年間など）に渡って壁紙の無償洗浄や無償交換等の保証を行い易くなる。しかしながら、この場合、販売元では、顧客から壁紙の無償洗浄や無償交換の依頼を受けたときに（顧客が壁紙の保証を行使したときに）、その壁紙がどのような種類の壁紙で、どの顧客によって購入され、どの施工現場のどの場所に貼られたか、その壁紙に対する保証期限がいつまでであるか、その壁紙が保証期間内の壁紙であるか否かといった内容を調べるために複雑な手続きが必要となり、これらの内容を容易に判断することができないという問題があった。
【発明の開示】
【発明が解決しようとする課題】
【０００７】
本発明は、このような問題を解決するために成されたものであり、顧客が購入した壁紙に汚れが付着した場合に、複雑な手続きを行うことなく保証の対象となる壁紙を特定し、その保証期限を分かり易く提示することが可能な壁紙保証管理システムを提供することを目的とする。
【課題を解決するための手段】
【０００８】
上述した課題を解決するために、本発明の壁紙保証管理システムは、顧客を識別する顧客情報、壁紙の施工現場の住所を示す施工現場情報、壁紙の種類を識別する壁紙情報、基準日情報、保証期限情報をデータベースにより管理し、顧客から依頼を受けたときに、データベースを使って対象となる壁紙を特定すると共に、その壁紙に関する保証情報を提示するようにしている。
【０００９】
また、本発明の他の態様によれば、顧客を識別する顧客情報、壁紙の施工現場の住所を示す施工現場情報、壁紙の種類を識別する壁紙情報、基準日情報、保証期限情報をデータベースにより管理し、顧客から依頼を受けたときに、データベースを使って対象となる壁紙を特定してその保証期限情報を取得すると共に、本日の日付情報を取得して、日付情報と保証期限情報とを比較することで、対象の壁紙が保証期間内であるか否かを表す情報を提示するようにしている。
【発明の効果】
【００１０】
上記のように構成した本発明によれば、保証の対象となる壁紙を特定するために必要なキーワードをシステムに入力するといった簡単な操作により、対象となる壁紙を特定し、その壁紙の保証期限を分かり易く提示することができる。これにより、販売元は、保証の対象となる壁紙の保証期限を容易に把握することができる。従って、販売元は、複雑な手続きを行うことなく、壁紙の保証期限を管理することができる。
【００１１】
また、本発明の他の態様によれば、保証の対象となる壁紙が保証期間内であるか否かを分かり易く提示することができる。これにより、販売元は、複雑な手続きを行うことなく、保証の対象となる壁紙が保証期間内であるか否かを容易に把握することができる。
【発明を実施するための最良の形態】
【００１２】
以下、本発明の一実施形態を図面に基づいて説明する。図１は、本実施形態による壁紙保証管理システムの構成例を示すブロック図である。図１に示すように、本実施形態による壁紙保証管理システム１は、操作部２、記憶部３、制御部４、保証情報出力部５、カレンダー部６を備えて構成されている。また、本実施形態による壁紙保証管理システム１は、壁紙の販売元等にて操作される。
【００１３】
操作部２は、マウス、キーボード等を有し、販売元等の管理者が壁紙保証管理システム１での処理に必要となる管理情報を入力するために用いられる。管理情報は、顧客によって購入された壁紙を識別するための壁紙情報（例えば壁紙の商品名など）、壁紙の施工場所を示す施工場所情報（例えばキッチン、洗面、トイレなどの施設名）、壁紙の施工面積を示す数量情報、保証期限を決めるための基準日を示す基準日情報（例えば壁紙の購入契約日や壁紙の施工日など）、壁紙を購入した顧客を識別するための顧客情報（例えば顧客の氏名や住所など）、壁紙の施工現場の住所を示す施工現場情報等を含む。
【００１４】
記憶部３は、ＲＡＭやＲＯＭ、ハードディスク等の記憶装置を有し、制御部４で実行される壁紙保証管理プログラムや、その処理に必要なデータ及びその処理にて得られたデータ、例えば壁紙保証管理システム１にて管理されるデータベース等を記憶する。また、記憶部３は、カレンダー部６で実行される日付決定プログラムを記憶している。
【００１５】
記憶部３に記憶されたデータベースは、例えば図２に示すような構造を持っている。図２は、本実施形態の壁紙保証管理システム１によって管理されるデータベースの例を示す図である。図２に示すように、本実施形態における壁紙保証管理システム１によって管理されるデータベースは、顧客によって購入された壁紙毎に付されるＩＤ１０、同一の顧客であるか否かを示す購入者番号１１に加え、操作部２にて入力された管理情報、管理情報の基準日情報によって決定される保証期限情報１６により構成されている。管理情報としては、壁紙の商品名を示す壁紙情報１２、施工場所情報１３、数量情報１４、施工日を示す基準日情報１５、顧客の氏名を示す顧客情報１７、施工現場情報１８を含む。また、保証期限情報１６は、管理情報の基準日情報１５から所定期間経過後（例えば施工日から１０年）の日付が設定される。
【００１６】
制御部４は、操作部２により入力された情報に基づいて管理情報を入力する。そして、前述したＩＤ１０、購入者番号１１、保証期限情報１６を付加して記憶部３に記憶する。また、制御部４は、記憶部３に記憶された壁紙保証管理プログラムに従って壁紙保証管理システム１を制御し、データベースの中からＩＤ１０や購入者番号１１、壁紙情報１２、施工場所情報１３、数量情報１４、基準日情報１５、顧客情報１７、施工現場情報１８等をキーワードとして保証の対象となる壁紙を特定する。そして、制御部４は、これらの情報の中からいくつかの情報を抽出し、保証期限情報１６を加えて保証情報を生成すると共に、この保証情報を保証情報出力部５に出力する。
【００１７】
保証情報出力部５は、制御部４より保証情報を入力し、接続されているディスプレイ７やプリンタ８に合致した形態に保証情報を変換して出力する。ディスプレイ７は保証情報の内容を表示することができ、プリンタ８は保証情報に基づいて保証書を印刷することができる。
【００１８】
カレンダー部６は、記憶部３に記憶されている日付決定プログラムに従って、本日の日付を示す日付情報を生成し、制御部４に出力する。ここで、日付情報は、ネットワークを介して接続されたサーバ等から取得するようにしても良い。
【００１９】
図３は、本実施形態の壁紙保証管理システム１によって出力される保証書の例を示す図である。図３に示すように、プリンタ８により印刷される保証書には、例えば右上方にＩＤ１０、施工日情報１５が印刷されており、中央には顧客情報１７、施工現場情報１８が印刷されている。続いて、壁紙の保証をする旨及び保証内容が印刷されており、その下方には保証期限情報１６と明細が印刷されている。明細には、壁紙情報１２、施工場所情報１３、壁紙の施工数量情報１４等が印刷されている。
【００２０】
このような保証書の記載により、顧客や販売元では、保証を受ける顧客、施工場所、保証を受ける壁紙の種類、保証を受ける壁紙の面積、保証期限等の詳細な保証内容を把握することができる。なお、ディスプレイ７に表示される保証情報の内容は、この保証書の記載内容とほぼ同一である。
【００２１】
また、前述した制御部４では、カレンダー部６にて生成された日付情報を取得し、その日付情報と記憶部３内のデータベースに記憶されている保証期限情報１６とを比較して、保証の対象となる壁紙が保証期間内のものであるか否かを判断する。そして、保証期間内か否かを表す保証適否情報を生成して、保証情報出力部５に出力する。保証情報出力部５は、制御部４より保証適否情報を入力し、接続されているディスプレイ７やプリンタ８に合致した形態に保証適否情報を変換して出力する。ディスプレイ７は保証適否情報の内容を表示することができ、プリンタ８は保証適否情報に基づいて書面を印刷することができる。
【００２２】
次に、顧客が壁紙を購入したときの壁紙保証管理システム１における処理について説明する。図４は、本実施形態による壁紙保証管理システム１における壁紙購入時の処理を示すフローチャートである。図４において、顧客が壁紙を購入した場合、販売元の管理者等が、操作部２により管理情報を構成する各情報を入力すると、制御部４では、操作部２により入力された各情報を管理情報として入力する（ステップＳ１）。
【００２３】
次に、制御部４では、顧客が購入した壁紙に対して保証を付けるか否かを調べる（ステップＳ２）。壁紙に対して保証を付けるか否かは、壁紙の種類によって決まる。具体的には、管理情報の壁紙情報１２を参照することにより壁紙の種類を調べる。ここで、保証を付ける壁紙の種類としては、図８に示すように、紙製の基材１１１上に塩化ビニル樹脂層１１２が形成された塩化ビニル製壁紙の表面に、ポリエチレン製フィルム、ポリ塩化ビニリデン製フィルム及びアクリル樹脂製フィルムのうちの何れかのフィルム１１３をコーティングしたものが適用される。
【００２４】
制御部４にて、壁紙の種類が前述したような壁紙ではなく、壁紙に対して保証を付けないと判断した場合には（ステップＳ２にてＮＯ）、ステップＳ１にて入力された管理情報にＩＤ１０、購入者番号１１を付加し、記憶部３内のデータベースに記憶する（ステップＳ４）。
【００２５】
一方、制御部４にて、壁紙の種類が前述したような壁紙であり、壁紙に対して保証を付けると判断された場合には（ステップＳ２にてＹＥＳ）、ステップＳ１にて入力された管理情報の基準日情報１５に基づいて所定の保証期間（例えば基準日から１０年）を設定する（ステップＳ３）。そして、管理情報にＩＤ１０、購入者番号１１、保証期限情報１６を付加し、記憶部３内のデータベースに記憶する（ステップＳ４）。
【００２６】
次に、制御部４では、保証情報を出力するための指示が操作部２により行われたか否かを調べる（ステップＳ５）。保証情報を出力するための指示が行われていない場合には（ステップＳ５にてＮＯ）、処理を終了する。
【００２７】
一方、保証情報を出力するための指示が行われた場合には（ステップＳ５にてＹＥＳ）、制御部４は、ステップＳ４で記憶部３内のデータベースに記憶された購入者番号１１、壁紙情報１２、施工場所情報１３、数量情報１４、基準日情報１５、保証期限情報１６、顧客情報１７、施工現場情報１８を用いて保証情報を生成する（ステップＳ６）。そして、制御部４は、生成した保証情報を保証情報出力部５に出力する（ステップＳ７）。保証情報出力部５は、制御部４より保証情報を入力し、接続されているディスプレイ７やプリンタ８に合致した形態に保証情報を変換して出力する。これにより、ディスプレイ７に保証情報の内容を表示し、あるいは、プリンタ８により保証情報に基づく保証書を印刷する。
【００２８】
次に、本実施形態による壁紙保証管理システム１における保証期限確認時の処理動作を説明する。図５は、本実施形態による壁紙保証管理システム１における保証期限確認時の処理を示すフローチャートである。まず、販売元では、顧客から壁紙の汚れを除去する依頼を受けると、操作部２を操作して壁紙保証管理プログラムの起動を指示する。制御部４では、この起動指示を受けて、記憶部３に記憶されている壁紙保証管理プログラムを読み出して起動する（ステップＳ１１）。そして、壁紙保証管理プログラムに従って、記憶部３に記憶されているデータベースを読み出す。
【００２９】
販売元では、ＩＤ１０や購入者番号１１、壁紙情報１２、基準日情報１５、顧客情報１７、施工現場情報１８等をキーワードとして操作部２より入力する。制御部４は、キーワードが入力されたか否かを調べる（ステップＳ１２）。キーワードが入力されない場合には（ステップＳ１２にてＮＯ）、ステップＳ１２の処理を繰り返す。
【００３０】
一方、キーワードが入力された場合には（ステップＳ１２にてＹＥＳ）、制御部４では、入力されたキーワードに基づいて、データベースから保証の対象となる壁紙（顧客から汚れを除去する依頼を受けた壁紙）を特定する。そして、特定した壁紙の保証期限情報１６をデータベースから取得する（ステップＳ１３）。また、制御部４では、カレンダー部６から本日の日付を示す日付情報を取得し、保証期限情報１６と比較することで保証の対象となる壁紙が保証期間内であるか否かを調べる（ステップＳ１４）。制御部４にて、保証の対象となる壁紙が保証期間内ではないと判断された場合には（ステップＳ１４にてＮＯ）、制御部４は、壁紙が保証期間内ではないことを表す保証適否情報を生成して保証情報出力部５に出力し、ディスプレイ７に表示する（ステップＳ１５）。
【００３１】
保証の対象となる壁紙が保証期間内ではないとディスプレイ７に表示された場合には、販売元は、顧客が有償による壁紙の洗浄又は貼り替えを希望するかを調べる。そして、顧客が有償による壁紙の洗浄又は貼り替えを希望する場合には、有償による壁紙の洗浄又は貼り替えを行う。
【００３２】
一方、制御部４にて、保証の対象となる壁紙が保証期間内であると判断された場合には（ステップＳ１４にてＹＥＳ）、制御部４は、保証期間内であることを表す保証適否情報を生成して保証情報出力部５に出力し、ディスプレイ７に表示する（ステップＳ１６）。
【００３３】
対象の壁紙が保証期間内であるか否かがディスプレイ７に表示されると（ステップＳ１５又はステップＳ１６）、制御部４では、保証情報を出力するための指示が操作部２により行われたか否かを調べる（ステップＳ１７）。保証情報を出力するための指示が行われていない場合には（ステップＳ１７にてＮＯ）、処理を終了する。
【００３４】
一方、保証情報を出力するための指示が行われた場合には（ステップＳ１７にてＹＥＳ）、制御部４は、ステップＳ１３で特定された壁紙に関する購入者番号１１、壁紙情報１２、施工場所情報１３、数量情報１４、基準日情報１５、保証期限情報１６、顧客情報１７、施工現場情報１８をデータベースから抽出し、保証情報を生成する（ステップＳ１８）。
【００３５】
そして、制御部４は、生成した保証情報を保証情報出力部５に出力する（ステップＳ１９）。保証情報出力部５は、制御部４より保証情報を入力し、接続されているディスプレイ７やプリンタ８に合致した形態に保証情報を変換して出力する。これにより、ディスプレイ７に保証情報の内容を表示し、あるいは、プリンタ８により保証情報に基づく保証書を印刷する。
【００３６】
前述したように、対象となる壁紙が保証期間内であるとディスプレイ７に表示された場合には、販売元では、壁紙の洗浄又は貼り替えを無償にて行う。壁紙の洗浄は、図６のフローチャートに示す方法に基づき行われる。図６において、まず、洗浄用ブラシを漂白剤に浸し、この洗浄用ブラシを用いて、壁紙の表面に、漂白剤をムラなく塗る（ステップＳ２１）。ここで、汚れの激しい箇所がある場合には、その箇所を歯ブラシ等を用いてこすることが好ましい。
【００３７】
壁紙の表面に塗布された漂白剤から泡が発生し、この泡の色が変化してきたら、水布を用いて漂白剤を拭き取る（ステップＳ２２）。この段階で拭き取れなかったヤニ等が残っている場合には、前述したステップＳ２１及びステップＳ２２を繰り返す。ここで、壁紙に付着した汚れが激しい場合には、漂白剤を塗布した後、しばらく（例えば１５分程度）放置しておくことが好ましい。
【００３８】
次に、アルカリ系洗浄剤を塗布して、ステップＳ２２において拭き取ることができなかった油汚れを拭き取る（ステップＳ２３）。ここで、アルカリ系洗浄剤は、前に塗布した漂白剤が乾燥した後に塗布することに留意すべきである。これは、漂白剤とアルカリ系洗浄剤が混ざると、有毒ガスが発生するだけでなく、アルカリ系洗浄剤の洗浄効果が得られ難くなるからである。
【００３９】
そして、乾いた布にシンナーを付けて、マジックやボールペン等のインク汚れを拭き取る（ステップＳ２４）。ここで、壁紙がエンボス模様等の凹部に付着したインク汚れに関しては、歯ブラシ等にシンナーを付けて、こすり落とすことが好ましい。
【００４０】
このように洗浄された壁紙について、販売元や顧客は、壁紙の汚れが除去できたか否かを判断し、壁紙の汚れが除去できなかった場合には、販売元は、壁紙の貼り替えを行う。
【００４１】
以上詳しく説明したように、本実施形態の壁紙保証管理システム１では、顧客が購入した壁紙の管理情報と、壁紙の施工日を基準日として設定した保証期限情報１６とをデータベースとして記憶部３に記憶し、顧客から依頼を受けたときに、データベースの情報を使って、保証期限を含む保証情報を生成してディスプレイ７に表示したり、プリンタ８にて印刷したりするので、販売元では、キーワードを入力するだけの簡単な操作で、保証の対象となる壁紙を特定し、その壁紙の保証期限を把握することができる。従って、販売元では、複雑な手続きを行うことなく、壁紙の保証期限を管理することができる。
【００４２】
また、本実施形態の壁紙保証管理システム１では、顧客から依頼を受けたときに、カレンダー部６から本日の日付を示す日付情報を取得し、この日付情報と記憶部３内のデータベースに記憶された保証期限情報１６とを比較することで、対象となる壁紙が保証期間内であるか否かを調べてディスプレイ７に表示したり、プリンタ８にて印刷したりするので、販売元では、キーワードを入力するだけの簡単な操作で、保証の対象となる壁紙を特定し、その壁紙が保証期間内であるか否かを把握することができる。従って、販売元では、複雑な手続きを行うことなく、壁紙が保証期間内であるか否かを管理することができる。
【００４３】
また、販売元では、保証期間内か否かを容易に把握できるので、壁紙の洗浄又は壁紙の貼り替えを無償で行うか否かを容易に判断することができる。また、保証期間内の壁紙については、洗浄を試みた後に貼り替えを行うようにしているので、販売元は、壁紙をできるだけ貼り替えることなく所定期間に渡って保証を行うことができ、汚れた壁紙をできるだけ産業廃棄物としないようにすることができると共に、顧客を継続して獲得することができる。
【００４４】
なお、本実施形態では、プリンタ８より保証書を印刷するようにしているが、これに限定されない。例えば、保証情報出力部５より出力される保証情報により保証書データを生成しても良い。この場合、保証書データをネットワーク等の回線を使用して顧客に送信しても良いし、保証書データを記録した媒体を顧客に送付しても良い。これによりペーパーレスを実現することができる。
【００４５】
また、本実施形態では、保証の対象となる壁紙が保証期間内であるか否かをディスプレイ７に表示するようにしているが、これに限定されない。例えば、図示しない音声出力部から音声により提示するようにしても良いし、プリンタ８にて印刷される書面により提示するようにしても良い。
【００４６】
また、本実施形態では、管理情報として、壁紙の商品名を示す壁紙情報１２、施工場所情報１３、数量情報１４、施工日を示す基準日情報１５、顧客の氏名を示す顧客情報１７、施工現場情報１８を含んでいるが、これに限定されない。例えば、顧客によって購入された壁紙毎に付されるＩＤ１０、同一の顧客であるか否かを示す購入者番号１１、基準日情報１５に基づいて決定される保証期限情報１６等の情報を管理情報に含むようにしても良い。
【００４７】
また、本実施形態では、キーワードを入力することによって保証の対象となる壁紙を特定しているが、これに限定されない。例えば、対象となる壁紙を特定する際に、図２示すデータベースを一覧表としてディスプレイ７に表示し、この一覧表に表示された壁紙の中から対象の壁紙を選択するようにしても良い。
【００４８】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００４９】
本発明は、付着した汚れを容易に洗浄可能な壁紙に対する保証管理システムに有用である。
【図面の簡単な説明】
【００５０】
【図１】本実施形態による壁紙保証管理システムの構成例を示すブロック図である。
【図２】本実施形態による壁紙保証管理システムによって管理されるデータベースの例を示す図である。
【図３】本実施形態による壁紙保証管理システムによって出力される保証書の例を示す図である。
【図４】本実施形態による壁紙保証管理システムにおける壁紙購入時の処理を示すフローチャートである。
【図５】本実施形態による壁紙保証管理システムにおける保証期限確認時の処理を示すフローチャートである。
【図６】壁紙の洗浄方法の例を示すフローチャートである。
【図７】従来の壁紙の構成例を示す断面図である。
【図８】壁紙の構成例を示す断面図である。
【符号の説明】
【００５１】
１    壁紙保証管理システム
２    操作部
３    記憶部
４    制御部
５    保証情報出力部
６    カレンダー部
７    ディスプレイ
８    プリンタ
１０１，１１１    基材
１０２，１１２    塩化ビニル樹脂層
１０３，１１３    ポリエチレン製フィルム
【図１】
2005338914.tif 000003
【図２】
2005338914.tif 000004
【図３】
2005338914.tif 000005
【図４】
2005338914.tif 000006
【図５】
2005338914.tif 000007
【図６】
2005338914.tif 000008
【図７】
2005338914.tif 000009
【図８】
2005338914.tif 000010